(57)【要約】【課題】　作業安全性の向上と測定データの信頼性を高めることができるロープ異常検出装置を提供する。【解決手段】　鋼線素線を含むロープ４０に近接して素線破断等の異常を磁気的に検出する検出部１１とこの検出部から得られる信号を処理する信号処理部１２とでロープ異常検出機器１０を構成する。ロープが相対移動し、かつロープの走行路との間隔が一定の位置にあるエレベーター昇降路内の所定箇所に、ロープ異常検出機器１０を保持して取付ける固定具３０を具備する。【選択図】　図１
2004099328.tif 000002
【特許請求の範囲】
【請求項１】
　鋼線素線を含むロープに近接して素線破断等の異常を磁気的に検出する検出部と、この検出部から得られる信号を処理する信号処理部とからなるロープ異常検出機器と、前記ロープが相対移動し、かつロープの走行路との間隔が一定の位置にあるエレベーター昇降路内の所定箇所に前記ロープ異常検出装置を保持して取付ける固定具とを具備して成るエレベーターのロープ異常検出装置。
【請求項２】
　請求の範囲第1項のロープ異常検出装置において、ロープ異常検出機器は固定具から着脱可能に構成したことを特徴とするエレベーターのロープ異常検出装置。
【請求項３】
　請求の範囲第1項のロープ異常検出装置において、検出部と信号処理部が分離可能になっていて、一体にまたは分離して固定具に取付けられることを特徴とするエレベーターのロープ異常検出装置。
【請求項４】
　請求の範囲第1項のロープ異常検出装置において、固定具がエレベーターの昇降路内上部あるいは機械室に設けられた巻上機の近傍に設置されることを特徴とするエレベーターのロープ異常検出装置。
【請求項５】
　請求の範囲第1項のロープ異常検出装置において、固定具がエレベーターのピット内に設けられた巻上機の近傍に設置されることを特徴とするエレベーターのロープ異常検出装置。
【請求項６】
　請求の範囲第1項のロープ異常検出装置において、固定具がエレベーターのメインロープのそらせシーブの近傍に前記メインロープに近接して設置されることを特徴とするエレベーターのロープ異常検出装置。
【請求項７】
　請求の範囲第1項のロープ異常検出装置において、固定具がエレベーターかごに設置されることを特徴とするエレベーターのロープ異常検出装置。
【請求項８】
　請求の範囲第1項のロープ異常検出装置において、固定具がエレベーターのつり合いおもりシーブの近傍に設置されることを特徴とするエレベーターのロープ異常検出装置。
【請求項９】
　請求の範囲第1項のロープ異常検出装置において、ロープが平行に配列されてエレベーターかごを牽引する複数本のメインロープであり、平行に相対移動するエレベーター昇降路内の所定位置に固定具が設置されて成るエレベーターのロープ異常検出装置。
【請求項１０】
　請求の範囲第1項のロープ異常検出装置において、１本または複数本のメインロープを同時に異常検出することが可能なロープ異常検出装置を、1個または複数個を固定具に設置したエレベーターのロープ異常検出装置。
【請求項１１】
　請求の範囲第１０項のロープ異常検出装置において、固定具を複数個設けて複数のロープ異常検出装置を設置したことを特徴とするエレベーターのロープ異常検出装置。
【請求項１２】
　エレベーター点検速度とエレベーター定格速度のいずれかでも検出可能な請求項１記載のロープ異常検出装置を固定具に常設固定したことを特徴とするエレベーターのロープ異常検出装置。
【請求項１３】
　請求の範囲第1項のロープ異常検出装置において、信号処理部がメモリー機能を有して、所定の設定値以上の異常値を検出した場合に、その異常値をメモリー機能に記録する手段を具備することを特徴とするエレベーターのロープ異常検出装置。
【請求項１４】
　請求の範囲第1項のロープ異常検出装置において、ロープ異常検出装置をエレベーター遠隔監視装置に接続し、ある設定値以上の異常値を検出した場合にその異常値を遠隔監視端末に送信することを特徴とするエレベーターのロープ異常検出装置。
【請求項１５】
　請求の範囲第1項のロープ異常検出装置において、離れた場所からロープ異常検出装置の電源のオンとオフを行うリモートコントロール装置を具備したことを特徴とするエレベーターのロープ異常検出装置。
【発明の詳細な説明】
【技術分野】
【０００１】
　本発明は、エレベーターのロープの異常を検出する装置に関する。
【背景技術】
【０００２】
　従来、エレベーターの乗りかごを牽引するロープの予防保全上、ロープを構成する鋼線の素線の一部破断等による異常の有無を知るために、点検員がロープを点検速度で移動させながらロープにロープテスターのプローブを手で近づけ、その検出出力を記録紙に記録させて計測することが行われている。プローブはロープが鋼線でできていることを利用して、ロープの一部を含む磁気ループを形成して、センサーで破断等で発生する磁界強度の変化を検出する。
【０００３】
　しかしながら、プローブとロープの間隔が一定せず測定精度が上がらないばかりか、作業性が低く測定に長時間を要するものであった。
【発明の開示】
【発明が解決しようとする課題】
【０００４】
　本発明は上記のような不都合を解消し、作業安全性の向上と測定データの信頼性を高めることができるロープ異常検出装置を提供するものである。
【課題を解決するための手段】
【０００５】
　本発明は、鋼線素線を含むロープに近接して素線破断等の異常を磁気的に検出する検出部と、この検出部から得られる信号を処理する信号処理部とからなるロープ異常検出機器と、前記ロープが相対移動し、かつロープの走行路との間隔が一定の位置にあるエレベーター昇降路内の所定箇所に前記ロープ異常検出装置を保持して取付ける固定具とを具備して成るロープ異常検出装置にある。プローブなどを手でロープに近づける必要が無くなり、作業安全性の向上と測定データの信頼性を高めることができる。
【０００６】
　 さらに、本発明は、ロープ異常検出機器は固定具から着脱可能に構成したことを特徴とするロープ異常検出装置にある。検出装置の持ち運びが容易になり取付けも容易になる。
【０００７】
　 さらに、本発明は、検出部と信号処理部が分離可能になっていて、一体にまたは分離して固定具に取付けられることを特徴とするロープ異常検出装置にある。作業安全性の向上と取付け位置範囲を広げることができる。
【０００８】
　 さらに、本発明は、固定具がエレベーターの昇降路内上部あるいは機械室に設けられた巻上機の近傍に設置されることを特徴とするロープ異常検出装置にある。装置の取付け位置範囲が広がるとともに、ロープ測定範囲を広げることができる。
【０００９】
　 さらに、本発明は、固定具がエレベーターのピット内に設けられた巻上機の近傍に設置されることを特徴とするロープ異常検出装置にある。装置の取付け位置範囲が広がるとともに、ロープ測定範囲を広げることができる。
【００１０】
　 さらに、本発明は、固定具がエレベーターのメインロープのそらせシーブの近傍に前記メインロープに近接して設置されることを特徴とするロープ異常検出装置にある。装置の取付け位置範囲が広がるとともに、ロープ測定範囲を広げることができる。
【００１１】
　 さらに、本発明は、固定具がエレベーターかごに設置されることを特徴とするロープ異常検出装置にある。装置の取付け位置範囲が広がるとともに、ロープ測定範囲を広げることができる。
【００１２】
　 さらに、本発明は、固定具がエレベーターのつり合いおもりシーブの近傍に設置されることを特徴とするロープ異常検出装置にある。装置の取付け位置範囲が広がるとともに、ロープ測定範囲を広げることができる。
【００１３】
　 さらに、本発明は、ロープが平行に配列されてエレベーターかごを牽引する複数本のメインロープであり、平行に相対移動するエレベーター昇降路内の所定位置に固定具が設置されて成るロープ異常検出装置にある。ロープ径が異なるロープを同時に測定可能になる。
【００１４】
　 さらに、本発明は、１本または複数本のメインロープを同時に異常検出することが可能なロープ異常検出装置を、1個または複数個を固定具に設置したエレベーターのロープ異常検出装置にある。測定時間の短縮がはかれる。
【００１５】
　 さらに、本発明は、固定具を複数個設けて複数のロープ異常検出装置を設置したことを特徴とするエレベーターのロープ異常検出装置にある。測定時間の短縮がはかれる。
【００１６】
　 さらに、本発明は、エレベーター点検速度とエレベーター定格速度のいずれかでも検出可能なロープ異常検出装置を固定具に常設固定したことを特徴とするエレベーターのロープ異常検出装置にある。測定時間の短縮がはかれる。
【００１７】
　 さらに、本発明は、信号処理部がメモリー機能を有して、所定の設定値以上の異常値を検出した場合に、その異常値をメモリー機能に記録する手段を具備することを特徴とするロープ異常検出装置にある。JOBデータの収集と管理が容易になり予防保全をはかることができる。
【００１８】
　 さらに、本発明は、ロープ異常検出装置をエレベーター遠隔監視装置に接続し、ある設定値以上の異常値を検出した場合にその異常値を遠隔監視端末に送信することを特徴とするロープ異常検出装置にある。予防保全と省人力化をはかることができる。
【００１９】
　さらに、本発明は、離れた場所からロープ異常検出装置の電源のオンとオフを行うリモートコントロール装置を具備したことを特徴とするロープ異常検出装置にある。これにより作業の安全性向上をはかることができる。
【発明の効果】
【００２０】
　 本発明によれば、作業安全性の向上と測定データの信頼性を高めることができるロープ異常検出装置を得ることができる。
【発明を実施するための最良の形態】
【００２１】
　図１および図２は本発明の一実施形態のロープ異常検出装置を示す。ロープ異常検出機器１０は検出部１１と信号処理部１２とからなり、図１（ｃ）のように分離して形成され、ジョイント部１３で機械的に結合される。ジョイント部１３は検出部１１の背面の凹部１３ａと信号処理部１２の側面の凸部１３ｂをスライドさせて結合することができるようになっており、ジョイント部に設けた接点（図示しない）により、電気的に接続される。
【００２２】
　検出部１１はエレベーターかごを牽引するために吊架された複数本のロープ４０ａ、４０ｂ、…を平行に配列したメインロープ４０を個々に通過させるチャンネル溝１４を有しており、蓋体１５により、閉塞される。
【００２３】
　蓋体１５表面に受光部１６が配置され、リモートコントローラ１７からの光信号を受けて、検出部１１および信号処理部１２の電源（図示しない）をスイッチオン、オフすることができるように構成される。符号１８は異常検出機器１０の取っ手である。
【００２４】
　検出部１１の各チャンネルは、近接して相対移動するロープの走行方向との間で磁路のループをつくり、磁界中に配置したホールセンサーで磁界強度の変化を検知するもので、磁界を形成する磁石およびセンサーを具備している。すなわち、エレベーターのメインロープは、鋼線でできた素線を心線に巻いてストランドを構成し、このストランドを複数本、心綱に巻いて形成されたものであり、長期間の牽引や何らかの無理な力が加わると、素線の一部などが破断するおそれがある。素線に破断があると、ロープが通過する検出部のチャンネルの位置で磁界に乱れを生じるため、この乱れがセンサーによって捕捉され、信号として取り出されて信号処理部１２に送られ、ロープの破断位置が計測されて、ロープの異常が検出される。
【００２５】
　図１（ａ）、（ｂ）に示すように、信号処理部１２は、前面に波形モニター２１、電源スイッチ２２、電源ランプ２３、ロープ走行速度設定用の可変ロータリースイッチ２４および操作スイッチ２５を配置し、側面に電源コンセント２６を配置している。ＡＣ電源やバッテリー電源が使用可能である。スイッチ２４により、エレベーター点検速度、エレベーター定格速度に対して、ともに計測可能になっている。
【００２６】
　 信号処理部はメモリー機能を有して、所定の設定値以上の異常値を検出した場合に、その異常値をメモリー機能に記録し、波形モニター２１で表示することができる。また、エレベーター遠隔監視装置に接続するコンセント２７を有し、ある設定値以上の異常値を検出した場合にその異常値を遠隔監視端末に送信する機能を有している。
【００２７】
　信号処理部１２の筐体２８の底部には図２に示す固定具３０にねじ止めされるねじ穴（図示しない）が設けられている。
【００２８】
　図２はロープ異常検出機器１０とともにロープ異常検出装置を構成する固定具３０を示す。幅広のＬ字型の金具で、信号処理部１２の筐体を載置する上面部３１と、昇降路内の所定位置に固定する側面部３２を形成している。上面部３１には筐体２８をねじ止めするために、複数の貫通穴３３を形成し、ねじ３４により、筐体２８を着脱可能に固定する。さらに側面部３２には図３に示すかごレールに止め具３０を固定するためにねじ穴３５が形成され、ブラケット３６により、ねじ３７によって、レールに固定される。
【００２９】
　図３の実施形態はロープ異常検出装置１の設置箇所を巻上機５０近傍に配置したものである。
【００３０】
　機械室をもたないエレべーター方式では、巻上機５０を昇降路天井部近傍に配置して、メインロープ４０の両端を昇降路天井に止め、巻上機を中心にして一方に乗りかごを、他方につりあい重りをシーブにより吊架する。乗りかごのシーブは、一対を乗りかごの下辺に配置し、メインロープ４０を乗りかご下辺にはわせることによって、乗りかごを牽引する。乗りかごおよびつりあい重りは各乗りかごレール５１、重りレール５２に沿って昇降する。
【００３１】
　昇降に伴い、昇降路内の所定箇所においてメインロープ４０の走行路に対して、間隔、位置は固定しているが、ロープが相対移動する箇所が生じる。例えば巻上機やこれを保持する巻上機近傍の乗りかごレールから見たロープは、走行路は変わらないが、ロープは移動している。
【００３２】
　本実施形態は、巻上機近傍の乗りかごレール５１と重りレール５２にそれぞれ図１および図２に示すロープ異常検出装置１を取り付け固定配置したものである。それぞれのレール５１の縁にブラケット５３で固定具３０を固定しており、重りレール側も同様である。この位置ではロープの走行路が変動しないので精度よくロープの状態を測定することができる。また、検出装置を２箇所に設置することによって、さらに検出精度を高めることができる。
【００３３】
　また、検出装置１の固定は、図４（ａ）のように、昇降路６０の壁面６１に固定具３０をブラケット６２により直接取付けてもよく、図４（ｂ）のように、同じ乗りかごレール５１に複数の検出装置１を取り付けることもできる。
【００３４】
　図５はロープ異常検出装置の検出部１１の他の実施形態を示すものである。（ａ）は平行に配列された複数のロープ４０a、４０b、４０c、４０dからなるメインロープ４０に対して、複数、ここでは２個の検出部１１ａ、１１ｂで対応したもので、１つの固定具３０ａに並設している。信号処理部１２a、１２bはそれぞれの検出部と組合わせてもよいし、１個の信号処理部（１２ａまたは１２ｂ）で両検出部の信号を処理してもよい。メインロープのロープ径が異なっていたり、ロープ数が検出部のチャンネルより多い場合にも同時計測が可能となり、計測時間の短縮化をはかることができる。
【００３５】
　図５（ｂ）は複数のロープ４０a、４０b、４０c、４０dを一括して１チャンネル１４ｃで異常検出する検出部１１cの実施形態を示している。並行に走行する複数のロープの各間隔は３ｍｍ程度であり、例えば図１に示すチャンネル１４間を隔てる隔壁１４aを非接触で狭いロープ間に挿入するのは容易でなく、本形態のように一括して検査することにより、簡易に計測することができる。異常個所が見つかれば、その位置をさらに精査することにより、高精度の異常検出が可能になる。
【００３６】
　図６乃至図９の各実施形態は、本発明のロープ異常検出装置の取付位置に関するものである。図１乃至図４と同符号の部分は同一部分を示す。
【００３７】
　図６の実施形態は、検出部１１と信号処理部１２を分離して各別に巻上機５０近傍の乗りかごレール５１に取付けたものである。検出部と信号処理部間はケーブル５５で連結する。持ち運びも楽で、狭い空間ではそれぞれ分けて取付けるので作業がやり易い。
【００３８】
　図７の実施形態は、乗りかご７０の底部７１にロープ異常検出装置１を取付け、底部に設けた一対のかごシーブ７２、７３間を走行するロープ４０の異常検出を行う。乗りかご７０が昇降しても、底部７１とロープ走行路の位置関係は変わらないので、計測が可能になる。これによりロープ測定範囲を広げることができる。さらに巻上機５０近傍に他のロープ異常検出装置１を配置して、かご底部に取付けた装置１とともにロープの測定範囲を広げることができる。なお５６は巻上機のソラセシーブを示す。
【００３９】
　図８の実施形態は、ロープ異常検出装置１を図７の実施形態がかご底部７１に設置したのに対して、かご天井部７４に設置した構成を示す。エレベーターの点検作業時は乗りかご７０の天井で行うことが多く、この箇所に検出装置１を設置することにより、作業性を向上することができる。また、他の箇所にも検出装置１を設置してロープ測定範囲を高めることができる。
【００４０】
　図９の実施形態は、つりあい重り７５のシーブ７６近傍にロープ異常検出装置１を配置したものである。機械室がなく昇降路天井近傍に巻上機を設置するエレベーター方式では、ロープの一端を天井部またはその近傍で支持するため、この支持部７７からつりあい重り７５にいたる間のロープ４０の計測はつりあい重り７５部分に検出装置１を配置することにより、異常検出測定が可能になる。
【００４１】
　図１０の実施形態は、ロープ異常検出装置１の出力をケーブル８１を介して、昇降路６０内に設置した制御盤８０で取り出し、電話回線などの通信網８２により情報センター８３でモニターすることができるようにしたものである。ロープ異常検出装置１を常時設置しておき、常に異常発生に対処し予防保全と省人力化をはかることができる。
【００４２】
　本実施形態においても、図１に示す実施形態においても、信号処理部にある設定値異常の異常値を検出した場合に、その異常値を記録するメモリー機能を具備させて、この異常値記録により、ロープ異常の判断を行わせることができる。
【００４３】
　本実施形態では、この異常値記録を情報センター８３の遠隔監視端末に送信してエレベーター運行の予防保全をはかることができる。
【００４４】
　図１１の実施形態は、機械室式エレべーター方式において、巻上機９０近傍のビーム９１上にロープ異常検出装置１を設置したものである。巻上機近傍はロープが広範囲に移動する箇所であり、広い測定範囲を確保することができる。
【００４５】
　図１２の実施形態は、昇降路６０のピット６３部分に巻上機９２を配したエレベーターにおいて、巻上機９２近傍のピット壁面６４にロープ異常検出装置１を設置し、ロープ４０を計測するものである。巻上機近傍はロープが広範囲に移動する箇所であり、広い測定範囲を確保することができる。
【図面の簡単な説明】
【００４６】
【図１】（ａ）、（ｂ）、（ｃ）は本発明の一実施形態の斜視図である。
【図２】図１と同じく本発明の一実施形態の斜視図である。
【図３】本発明の他の実施形態の略側面図である。
【図４】（ａ）、（ｂ）はそれぞれ本発明の他の実施形態の略側面図である。
【図５】（ａ）、（ｂ）はそれぞれ検出部の変形例を示す平面図である。
【図６】本発明の他の実施形態の略側面図である。
【図７】本発明の他の実施形態の略側面図である。
【図８】本発明の他の実施形態の略側面図である。
【図９】本発明の他の実施形態の略側面図である。
【図１０】本発明の他の実施形態の略側面図である。
【図１１】本発明の他の実施形態の略側面図である。
【図１２】本発明の他の実施形態の略側面図である。
【符号の説明】
【００４７】
　 １…ロープ異常検出装置
　 １０…ロープ異常検出機器
　 １１…検出部
　 １２…信号処理部
　 １４…チャンネル
　 １５…蓋体
　 １６…受光部
　 １７…リモートコントローラ
　 ３０…固定具
　 ４０…メインロープ
　 ５０…巻上機
　 ５１…乗りかごレール
　 ６０…昇降路
　 ７０…乗りかご
　 ７５…つりあい重り
　 ８０…制御盤
　 ８３…情報センター
　 ９３…ピット
【図１】
2004099328.tif 000003
【図２】
2004099328.tif 000004
【図３】
2004099328.tif 000005
【図４】
2004099328.tif 000006
【図５】
2004099328.tif 000007
【図６】
2004099328.tif 000008
【図７】
2004099328.tif 000009
【図８】
2004099328.tif 000010
【図９】
2004099328.tif 000011
【図１０】
2004099328.tif 000012
【図１１】
2004099328.tif 000013
【図１２】
2004099328.tif 000014